(57)【要約】【課題】ロール紙を無駄なく使用することができるとともに、用紙切れにより取引を途中で中止するという事態が発生するのを防止することができる印字ユニットを提供する。【解決手段】明細票発行ユニット５は、明細票の発行後に、ロール紙２０の残長が、次回の取引で発行することがある最大長の明細票の長さ以上であるかどうかを確認する。そして、ロール紙２０の残長が、次回の取引で発行することがある最大長の明細票の長さ以上でなければ用紙切れと判断する。したがって、ロール紙を無駄なく使用することができるとともに、用紙切れにより取引を途中で中止するという事態が発生するのを防止することができる。【選択図】図６
2008093975.tif 000002
【特許請求の範囲】
【請求項１】
上位装置である自動取引装置で実行された取引処理の取引内容を印字した明細票を発行する印字ユニットにおいて、
セット位置にセットされているロール紙の先端を引き出し、搬送路に沿って搬送する搬送手段と、
前記自動取引装置で実行された取引処理の取引内容を、前記搬送手段により搬送されているロール紙に印字する印字手段と、
前記印字手段が取引内容を印字した印字部分をカットし、これを明細票として排紙する発行手段と、
前記搬送路の入口と、前記印字手段の印字位置との間に定めた検知位置で、前記搬送路を搬送されているロール紙の有無を検知する検知手段と、
前記排紙手段による明細票の排紙後に、ロール紙の先端から前記検知手段の検知位置までの長さが、発行する最大長さの明細票の長さになる位置まで、ロール紙を前記搬送手段により搬送させ、このときに、前記検知手段が検知しているロール紙の有無に基づいて、用紙切れであるかどうかを判定する判定処理を実行する判定手段と、
前記判定手段が用紙切れであると判定したときに、その旨を前記自動取引装置に通知する通知手段と、を備えた印字ユニット。
【請求項２】
前記セット位置にセットされているロール紙の巻回部分における半径方向の厚さが、予め定めた厚さ以上であるかかどうかを検出する厚さ検出手段を、備えるとともに、
前記判定手段は、前記厚さ検出手段により検出されたロール紙の巻回部分における半径方向の厚さが、予め定めた厚さ以上であった場合に、前記判定処理を行うことなく用紙切れで無いと判定する手段である、請求項１に記載の印字ユニット。
【請求項３】
前記判定手段は、前記判定処理を実行し、用紙切れでないと判定した場合に、ロール紙の先端を待機位置まで巻き戻す手段である、請求項１または２に記載の印字ユニット。
【請求項４】
前記判定手段は、前記判定処理を実行し、用紙切れであると判定した場合に、前記搬送手段により、ロール紙を排紙する側に所定量だけ搬送する手段である、請求項１〜３のいずれかに記載の印字ユニット。
【請求項５】
前記判定手段により前記判定処理が実行される毎に、その判定結果を、不揮発性の記憶媒体に記憶する記憶手段を備えた請求項１〜４のいずれかに記載の印字ユニット。
【請求項６】
前記発行手段は、前記自動取引装置で実行された取引処理に応じた長さの明細票を発行する手段である、請求項１〜５のいずれかに記載の印字ユニット。
【発明の詳細な説明】
【技術分野】
【０００１】
この発明は、ＡＴＭ等の自動取引装置に適用され、この自動取引装置で実行された取引処理の取引内容を印字した明細票を発行する印字ユニットに関する。
【背景技術】
【０００２】
従来、ＡＴＭ等の自動取引装置には、実行した取引処理の取引内容を印字した明細票を発行する印字ユニットが設けられている。印字ユニットには、取引内容を印字する用紙としてロール紙を使用するものがある。このロール紙を使用する印字ユニットは、セットされているロール紙の先端を引き出し、搬送路に沿って搬送する。印字ユニットは、搬送路の途中に設けた印字ヘッドで、搬送されているロール紙に取引内容を印字する。また、印字ユニットは、取引内容を印字した部分をカットし、これを明細票として排紙する。この種の印字ユニットでは、ロール紙の有無を検知するセンサを搬送路の入口付近に設けておき、このセンサによりロール紙の無いことが検知されたときに、用紙切れと判断していた。このため、明細票の発行途中（取引内容の印字途中）に、用紙切れが検知され、取引を途中で中止しなければならない事態が発生することがあった。
【０００３】
このような事態が発生するのを防止するために、ロール紙の巻回部分における半径方向の厚さを検知することにより、ロール紙の残量を大まかに推定する構成を設けるとともに、ロール紙の巻回部分における半径方向の厚さが、予め定めた厚さよりも小さくなったことが検知されたときから、明細票を予め定めた回数発行した時点で用紙切れと判断する印字ユニットが提案されている（特許文献１参照）。また、入力された画像データに基づく画像をロール紙に形成する一般的なプリンタではあるが、画像データが入力されると、ロール紙への画像の形成を開始する前に、ロール紙を引き出して、今回入力された画像データの画像形成途中に、用紙切れが発生しないかどうかを確認する装置も提案されている（特許文献２参照）。
【特許文献１】特開平５−１８２０５３号公報
【特許文献２】特開２００４−１６７９３１号公報
【発明の開示】
【発明が解決しようとする課題】
【０００４】
しかしながら、特許文献１に記載されている発明では、ロール紙の残量を大まかに推定しているだけであり、用紙切れと判断したときのロール紙の残量が、何枚かの明細票を発することができる残量であった。したがって、ロール紙を無駄なく使用することができないという問題があった。また、ロール紙を無駄なく使用するために、用紙切れと判断する判断基準を厳しくすると、明細票の発行途中（取引内容の印字途中）に、用紙切れになるのを防止することができない。
【０００５】
また、特許文献２に記載されている発明は、入力された画像データに基づく画像を形成するまえに、ロール紙の残量を確認することから、画像形成途中に用紙切れになることがないとともに、ロール紙を無駄なく使用することができる。しかし、用紙切れと判断する時点は、すでに画像データの入力が完了している時点である。このため、自動取引装置に適用する印字ユニットに、この特許文献２に記載されている構成を採用しても、結果的に取引を途中で中止するという事態が発生するのを防止することができない。
【０００６】
この発明の目的は、ロール紙を無駄なく使用することができるとともに、用紙切れにより取引を途中で中止するという事態が発生するのを防止することができる印字ユニットを提供することにある。
【課題を解決するための手段】
【０００７】
この発明の印字ユニットは、上記課題を解決するために、以下の構成を備えている。
【０００８】
（１）上位装置である自動取引装置で実行された取引処理の取引内容を印字した明細票を発行する印字ユニットにおいて、
セット位置にセットされているロール紙の先端を引き出し、搬送路に沿って搬送する搬送手段と、
前記自動取引装置で実行された取引処理の取引内容を、前記搬送手段により搬送されているロール紙に印字する印字手段と、
前記印字手段が取引内容を印字した印字部分をカットし、これを明細票として排紙する発行手段と、
前記搬送路の入口と、前記印字手段の印字位置との間に定めた検知位置で、前記搬送路を搬送されているロール紙の有無を検知する検知手段と、
前記排紙手段による明細票の排紙後に、ロール紙の先端から前記検知手段の検知位置までの長さが、発行する最大長さの明細票の長さになる位置まで、ロール紙を前記搬送手段により搬送させ、このときに、前記検知手段が検知しているロール紙の有無に基づいて、用紙切れであるかどうかを判定する判定処理を実行する判定手段と、
前記判定手段が用紙切れであると判定したときに、その旨を前記自動取引装置に通知する通知手段と、を備えている。
【０００９】
この構成では、排紙手段による明細票の排紙後に、判定手段が、ロール紙の先端から検知手段の検知位置までの長さが、次回の取引時に発行する可能性がある最大長さの明細票の長さになる位置まで、ロール紙を前記搬送手段により搬送させる。搬送手段によるロール紙の搬送完了後に、検知手段がロール紙を検知していなければ、ロール紙の残量は、次回の取引時に発行する可能性がある最大長さの明細票の長さよりも短いので、次回の取引処理時に明細票を発行することができない可能性がある。一方、搬送手段によるロール紙の搬送完了後に、検知手段がロール紙を検知していれば、ロール紙の残量は、発行する可能性がある最大長さの明細票の長さ以上であるので、次回の取引処理時に明細票を発行することができないという事態が生じることはない。判定手段は、搬送手段によるロール紙の搬送完了後に、検知手段がロール紙を検知していなければ、用紙切れであると判定する。すなわち、判定手段は、次回の取引処理時に明細票を発行することができない可能性があるときに、用紙切れであると判定する。そして、通知手段が、判定手段において用紙切れであると判定されたことを、上位装置である自動取引装置に通知する。
【００１０】
したがって、自動取引装置が、通知手段から用紙切れの通知があったときに、取扱中止状態に移行することで、用紙切れにより取引を途中で中止するという事態が発生するのを確実に防止できる。また、用紙切れと判定されたときのロール紙の残量は、発行する可能性がある最大長さの明細票の長さ未満であるので、ロール紙を無駄なく使用することができる。
【００１１】
（２）前記セット位置にセットされているロール紙の巻回部分における半径方向の厚さが、予め定めた厚さ以上であるかかどうかを検出する厚さ検出手段を、備えるとともに、
前記判定手段は、前記厚さ検出手段により検出されたロール紙の巻回部分における半径方向の厚さが、予め定めた厚さ以上であった場合に、前記判定処理を行うことなく用紙切れで無いと判定する手段である。
【００１２】
この構成では、厚さ検出手段により、ロール紙の残量を大まかに推定し、推定結果から用紙切れにより取引を途中で中止するという事態が発生する可能性がないときには、前記判定手段が前記判定処理を実行することなく、用紙切れでないと判定する。したがって、判定手段が、無駄な判定処理を実行するのを防止でき、装置の負荷やロール紙の傷みが抑えられる。
【００１３】
（３）前記判定手段は、前記判定処理を実行し、用紙切れでないと判定した場合に、ロール紙の先端を待機位置まで巻き戻す手段である。
【００１４】
この構成では、次回の取引にそなえて、ロール紙を巻き戻しているので、次回の取引時に明細票の発行にかかる処理が速やかに行える。
【００１５】
（４）前記判定手段は、前記判定処理を実行し、用紙切れであると判定した場合に、前記搬送手段により、ロール紙を排紙する側に所定量だけ搬送する手段である。
【００１６】
この構成では、判定処理において、ロール紙の後端が検知手段の検知位置付近に位置した場合に、判定手段が、一旦用紙切れと判定した後に、用紙切れでないと判定するのを防止できる。
【００１７】
（５）前記判定手段により前記判定処理が実行される毎に、その判定結果を、不揮発性の記憶媒体に記憶する記憶手段を備えている。
【００１８】
この構成では、前回の判定処理の処理結果が、本体の電源のオン／オフにより失われることがない。
【発明の効果】
【００１９】
この発明によれば、ロール紙を無駄なく使用することができるとともに、用紙切れにより取引を途中で中止するという事態が発生するのを確実に防止できる。
【発明を実施するための最良の形態】
【００２０】
以下、この発明の実施形態について説明する。
【００２１】
図１は、この発明の実施形態である印字ユニットを適用したＡＴＭの主要部の構成を示す図である。この実施形態のＡＴＭ１は、主制御部２と、カード処理ユニット３と、通帳処理ユニット４と、明細票発行ユニット５と、入出金処理ユニット６と、操作ユニット７と、通信ユニット８と、を備えている。主制御部２は、上述した各ユニットの動作を制御し、利用者から要求された入金取引、出金取引等の取引処理を実行するとともに、ＡＴＭ１本体の状態を管理する。カード処理ユニット３は、利用者が挿入したキャッシュカードに磁気データ等で記録されている口座番号等のカード情報を読み取るとともに、必要に応じてカード情報の再書き込みや、書き換え等を行う。通帳処理ユニット４は、利用者が挿入した預金通帳に磁気データ等で記録されている口座番号等の通帳情報を読み取るとともに、必要に応じて通帳情報の再書き込みや、書き換え等を行う。また、通帳に印字していない取引の取引内容を印字する印字処理も行う。明細票発行ユニット５は、取引処理時に、その取引にかかる取引内容を印字した明細票を必要に応じて発行する。この明細票発行ユニット５が、この発明で言う印字ユニットに相当する。入出金処理ユニット６は、入出金される紙幣を処理する紙幣処理部と、入出金される硬貨を処理する硬貨処理部とを有している。紙幣処理部は、入出金される紙幣毎に、その真偽や金種の鑑別を行う。また、硬貨処理部も同様に入出金される硬貨毎に、その真偽や金種の鑑別を行う。操作ユニット７は、利用者による入力操作を受け付ける入力デバイスや、利用者に対して操作案内画面等を表示する表示デバイスを有している。入力デバイスとしては、例えば表示デバイスの画面上に配置されたタッチパネルや、複数の操作キーを有するキーボードが使用される。通信ユニット８は、センタ（不図示）との通信を制御する。ＡＴＭ１は、通信ユニット８において取引の認証要求をセンタに送信し、センタにおける認証結果を受信する。通信ユニット８と、センタとの通信は、セキュリティの面から専用線を使用するのが好ましい。
【００２２】
カード処理ユニット３、通帳処理ユニット４、入出金処理ユニット６、操作ユニット７、および通信ユニット８については、公知のＡＴＭに適用されているものと同じであるので、ここでは詳細な説明を省略する。
【００２３】
図２は、明細票発行ユニットの主要部の構成を示す図である。また、図３は、明細票発行ユニットにおけるロール紙の搬送経路を示す概略図である。明細票発行ユニット５は、制御部１１と、印字部１２と、搬送部１３と、検知部１４と、カット部１５と、インタフェース部１６（以下、Ｉ／Ｆ部１６と言う。）と、を備えている。この明細票発行ユニット５は、ロール紙２０を使用して、明細票を発行する。ロール紙２０は、明細票発行ユニット５のセット位置にセットされる。制御部１１は、明細票発行ユニット５の各部の動作を制御するとともに、ロール紙２０が用紙切れの状態であるかどうか等を記憶する不揮発性のメモリ１１ａ（例えばフラッシュメモリ）を有している。
【００２４】
明細票発行ユニット５には、ロール紙２０のセット位置と、明細票の排出口２１と、を繋ぐ用紙搬送路が形成されている。印字部１２は、用紙搬送路の途中に配置した印字ヘッド１２ａを有し、この印字ヘッド１２ａでロール紙２０に取引内容等を印字する。搬送部１３は、用紙搬送路におけるロール紙２０の搬送、およびロール紙２０から切り取った明細票の搬送を制御する。搬送部１３は、セット位置にセットされているロール紙２０を搬送する搬送ベルトを駆動する駆動部と、ロール紙２０からカットされた部分（通常、発行する明細票）を排出口２１に搬送する搬送ベルトを駆動する駆動部と、を有している。したがって、セット位置にセットされているロール紙２０の搬送と、ロール紙２０からカットされた部分の搬送と、が個別に行える。
【００２５】
検知部１４は、厚み検知センサ３１と、用紙検知センサ３２と、排出検知センサ３３と、抜取検知センサ３４と、を有している。検知部１４は、これらのセンサ３１〜３４の検知結果を制御部１１に入力している。厚み検知センサ３１は、セット位置にセットされているロール紙２０の半径方向における厚さが、予め定めた厚さ（以下、所定厚さと言う。）以上であるかどうかを検知するための構成である。用紙検知センサ３２は、図３に示すように、用紙搬送路の入口近傍の排出口２１側に配置しており、用紙搬送路入口近傍におけるロール紙２０の有無を検知するための構成である。排出検知センサ３３は、排出口２１に搬送する、ロール紙２０からカットした明細票の通過を検知するための構成である。抜き取り検知センサ３４は、排出口２１に搬送した明細票の抜き取りを検知するための構成である。抜取検知センサ３４は、図３に示すように、排出口２１近傍の用紙搬送路側に配置している。また、排出検知センサ３３は、抜取検知センサ３４よりも用紙搬送路の上流側に配置している。これらのセンサ３１〜３４は、上述した検知が行えるものであれば、光学センサであってもよいし、メカセンサであってもよいし、さらに他の種類のセンサであってもよいが、接触式のセンサの場合、摩擦でロール紙２０や明細票を傷める可能性があることから、非接触式のセンサを用いるのが好ましい。カット部１５は、カッタ１５ａを有し、このカッタ１５ａをロール紙２０の搬送方向に対して垂直な方向（図３における紙面に対して垂直な方向）に駆動することで、ロール紙２０から取引内容を印字した部分、すなわち発行する明細票となる部分、を切り取る。カッタ１５ａは、図３に示すように、印字ヘッド１２ａの近傍で、且つ用紙搬送路の下流側に配置している。
【００２６】
次に、ＡＴＭ１の動作について説明する。図４は、ＡＴＭの動作を示すフローチャートである。ＡＴＭ１は、取引の開始、または本体の電源オフにかかる入力を待っている（ｓ１、ｓ２）。ＡＴＭ１は、電源オフにかかる入力があると、各ユニットの動作を停止する等の電源オフ処理を行い（ｓ３）、本処理を終了する。ＡＴＭ１は、取引の開始にかかる入力があると、操作ユニット７において、これから処理する取引にかかる情報（暗証番号、出金金額等）の入力を受け付ける（ｓ４）。また、ｓ４では、カード処理ユニット３や通帳処理ユニット４で取引に用いるキャッシュカードや通帳等の媒体の挿入を受け付ける。キャッシュカードや通帳等の媒体については、取引の種類によって必須でない場合もあり、利用者が挿入しないこともある。さらに、これから実行する取引の種別が入金処理や振込処理であれば、ｓ４で利用者による紙幣や硬貨の投入を入出金処理ユニット６で受け付ける。カード処理ユニット３、および通帳処理ユニット４は、挿入されたキャッシュカードや通帳に記録されている口座番号等のカード情報や通帳情報を読み取る。また、入出金処理ユニット６は、投入された紙幣や硬貨を１枚ずつ鑑別し、投入金額を算出する。
【００２７】
ＡＴＭ１は、通信ユニット８において、取引の認証要求をセンタに送信し（ｓ５）、センタからの認証結果を受信する（ｓ６）。ｓ５でセンタに送信する認証要求には、取引の種別、口座番号、暗証番号、取引金額等、ｓ４で得た情報が含まれている。ＡＴＭ１は、受信した認証結果において、今回の取引が許可されているかどうかを判定する（ｓ７）。ＡＴＭ１は、ｓ７でセンタにおいて今回の取引が許可されなかったと判定すると、取引を中止する取引中止処理を行い（ｓ８）、ｓ１に戻る。ｓ８では、今回の取引で挿入されたキャッシュカードや、通帳等の媒体を利用者に返却する返却処理等を行う。また、ｓ８では、明細票を発行しない。
【００２８】
ＡＴＭ１は、ｓ７でセンタにおいて今回の取引が許可されたと判定すると、明細票発行ユニット５において明細票を発行する必要があるかどうかを判定する（ｓ９）。例えば、今回の取引で通帳が挿入されていれば、取引内容を通帳に印字し、明細票を発行しなくてよい場合がある。ＡＴＭ１は、ｓ９で明細票を発行する必要があると判定すると、明細票発行ユニット５において明細票を発行する明細票発行処理を行う（ｓ１０）。この明細票発行処理の詳細については、後述する。ＡＴＭ１は、ｓ１０にかかる明細票発行処理が完了した場合、またはｓ９で明細票発行ユニット５において明細票を発行する必要がないと判定した場合、今回の取引で挿入されたキャッシュカードや、通帳等の媒体を利用者に返却する返却処理を行うとともに、利用者が指定した金額の現金を放出する出金処理や、利用者が投入した紙幣や硬貨を金種毎に対応するカートリッジに収納する入金処理等を行う（ｓ１１）。ＡＴＭ１は、ｓ１１にかかる処理が完了すると、今回の取引でロール紙２０が用紙切れになったかどうかを確認する（ｓ１２）。ｓ１２は、明細票発行ユニット５から用紙切れが通知されているかどうかを確認する処理である。ＡＴＭ１は、ｓ１２で用紙切れでないことを確認すると、ｓ１に戻る。また、ｓ１２で用紙切れであることを確認すると、本体を取扱中止状態に移行させ（ｓ１３）、ロール紙２０の交換を待つ（ｓ１４）。ＡＴＭ１は、ロール紙２０が交換されると、取扱中止状態を解除し（ｓ１５）、ｓ１に戻る。
【００２９】
ｓ１２以降の処理は、取引の後処理として実行されるステップであり、利用者は、ｓ１１で放出された媒体を全て受け取った時点で、ＡＴＭ１から離れられる。また、ＡＴＭ１は、ｓ１４でロール紙２０の交換を待っているときに、電源がオフされたときには、電源オフ処理を行い本処理を終了する。
【００３０】
また、ＡＴＭ１は、上記取引処理の途中で、何らかの異常、例えば挿入されたキャッシュカードや通帳の搬送異常、が生じた場合には、本体の動作を停止する異常終了処理を行う。この異常終了処理が行われたときには、係員が発生した異常の復旧作業を行う。
【００３１】
なお、発行する明細票の長さは、取引の種類等にかかわらず一定であってもよいし、取引の種類等で異なってもよい。また、ここで言う明細票の長さは、ロール紙２０の搬送方向の長さである。
【００３２】
次に、ｓ１０にかかる明細票発行処理について説明する。図５は、明細票発行処理を示すフローチャートである。明細票発行ユニット５は、通常、ロール紙２０の先端が待機位置に位置している。この待機位置は、カッタ１５ａによりロール紙２０がカットされるカット位置である。すなわち、カット部１５が、カッタ１５ａでロール紙２０をカットしたときの状態が、ロール紙２０の先端が待機位置に位置にしている状態である。明細票発行ユニット５は、印字部１２がロール紙２０に取引内容を印字する印字処理を行う（ｓ２１）。印字する取引内容は、主制御部２からＩ／Ｆ部１６で受け取っている。このとき、搬送部１３は、ロール紙２０の先端を排出口２１側搬送し、ロール紙２０において印字ヘッド１２ａが当接する位置、すなわち印字位置、を調整する。明細票発行ユニット５は、ロール紙２０に対する取引内容の印字が完了しても、すぐにロール紙２０の搬送を停止せず、今回取引内容を印字したロール紙２０の印字部分の後端が、カット位置よりも少し排出口２１側に達するのを待って、ロール紙２０の搬送を停止する（ｓ２２）。明細票発行ユニット５は、カット部１５で取引内容を印字した部分をカットする（ｓ２３）。ｓ２３でカットされた部分が、今回の取引で発行される明細票である。また、このときロール紙２０の先端は、上述したように、待機位置に位置している。
【００３３】
搬送部１３は、ロール紙２０からカットされた部分を排出口２１に搬送する（ｓ２４）。このとき、ロール紙２０については排出口２１側に引き出さない。搬送部１３は、上述したように、セット位置にセットされているロール紙２０の搬送と、ロール紙２０からカットされた部分の搬送と、が個別に行える。ｓ２４では、ロール紙２０を引き出して搬送する搬送ベルトを停止し、ロール紙２０からカットされた部分を搬送する搬送ベルトを駆動することにより、ロール紙２０からカットされた部分のみを排出口２１に搬送する。搬送部１３は、ロール紙２０からカットされた部分である明細票を、その一部が排出口２１から外側に突出する位置まで搬送すると、明細票の搬送を停止する。このとき、排出検知センサ３３や、抜取検知センサ３４で明細票の通過が検知できなかった場合、搬送異常が発生したと判断し、その旨を主制御部２に通知する。主制御部２は、明細票発行ユニット５から搬送異常が通知されたときには、本体の動作を停止する異常終了処理を行う。
【００３４】
明細票発行ユニット５は、排出口２１に排出した明細票が利用者に抜き取られると（ｓ２５）、ロール紙２０の残量が次回の取引時に明細票を発行できる量であるかどうかを確認する残量確認処理を行う（ｓ２６）。明細票発行ユニット５は、抜取検知センサ３４が明細票を検知していない状態に変化したときに、明細票が抜き取られた判断する。
【００３５】
図６は、ｓ２６にかかる残量確認処理を示すフローチャートである。この残量確認処理を開始するとき、ロール紙２０の先端は待機位置に位置している（図７（Ａ）参照）。明細票発行ユニット５は、検知部１４において、厚み検知センサ３１によりロール紙２０の巻回部分における半径方向の厚さが、所定厚さよりも小さくなっているかどうかを確認する（ｓ３１）。ロール紙２０は、芯の太さや、紙厚や、巻き方等の違いにより、半径方向の厚さから、残量を精度良く測定することはできない。しかし、ロール紙２０種類に関係なく、次回の取引時に明細票を発行できる残量があるときの、厚さの上限については決めることができる。ｓ３１で用いる所定厚さは、ロール紙２０種類に関係なく、次回の取引時に明細票を発行できる残量があることが確実である厚さの設定値であり、この所定厚さよりも小さくなると、残量不足で、次回の取引時に明細票が発行できないというものではない。
【００３６】
明細票発行ユニット５は、ロール紙２０の半径方向の厚さが所定厚さ以上であれば、次回の取引時に明細票を発行できる残量がある、すなわち用紙切れでない、と判断し（ｓ３２）、今回の判断結果をメモリ１１ａに記憶する（ｓ３３）。また、今回の判断結果を主制御部２に通知し（ｓ４０）、本処理を終了する。一方、ロール紙２０の半径方向の厚さが、所定厚さよりも小さければ、搬送部１３によりロール紙２０を引き出して排出口２１側に搬送する（ｓ３４）。ｓ３４では、ロール紙２０の先端から用紙検知センサ３２の検知位置までの長さが、次回の取引時に発行する可能性がある明細票の最大長さになる位置まで搬送する。明細票発行ユニット５は、ｓ３４にかかるロール紙２０の搬送が完了すると、用紙検知センサ３２がロール紙２０を検知しているかどうかを確認する（ｓ３５）。ｓ３５で、用紙検知センサ３２がロール紙２０を検知していれば（図７（Ｂ）参照）、次回の取引時に明細票を発行することができる残量がある、すなわち用紙切れでない、と判断する（ｓ３６）。また、搬送部１３によるロール紙２０の逆転搬送により、ロール紙２０の先端を待機位置に戻す（ｓ３７）。そして、ｓ３３で今回の判断結果をメモリ１１ａに記憶するとともに、ｓ４０で今回の判断結果を主制御部２に通知し、本処理を終了する。
【００３７】
一方、ｓ３５で、用紙検知センサ３２がロール紙２０を検知していなければ（図７（Ｃ）参照）、次回の取引時に明細票を発行することができる残量がない、すなわち用紙切れである、と判断する（ｓ３８）。そして、搬送部１３によりロール紙２０を、さらに所定量だけ排出口２１側に追加搬送する（ｓ３９）（図７（Ｄ）参照）。そして、ｓ３３で今回の判断結果をメモリ１１ａに記憶するとともに、ｓ４０で今回の判断結果を主制御部２に通知し、本処理を終了する。
【００３８】
したがって、セット位置にセットされているロール紙２０について、用紙切れであると判断される残量は、明細票発行ユニット５において発行することがある最大長さの明細票の長さ未満になるので、ロール紙２０を無駄なく使用することができる。また、次回の取引において、ロール紙２０の用紙切れが発生するかどうかを検知し、検知結果に基づいてＡＴＭ１を取扱中止状態に移行させる為、用紙切れにより取引が途中で中止されるという事態が発生することもない。これにより、利用者に対するサービスの向上が図れるとともに、取引処理の処理効率を向上させることができる。
【００３９】
また、ロール紙２０の巻回部分における半径方向の厚さが、所定の厚さ以上であれば、上述したｓ３４〜ｓ３７にかかる処理を実行しないので、明細票発行ユニット５の負荷を低減することができるとともに、摩擦等によるロール紙２０の傷みを抑えることができる。
【００４０】
また、ロール紙２０が用紙切れであるかどうかを判断した判断結果を不揮発性のメモリ１１ａに記憶しているので、本体の電源をオフの後オンされたときに、図６に示した残量検知を再度行う必要がなく、明細票発行ユニット５の負荷を一層低減することができるとともに、摩擦等によりロール紙２０の傷みを一層抑えることができる。
【００４１】
なお、明細票発行ユニット５は、ロール紙２０の交換が行われたときに、不揮発性のメモリ１１ａに記憶している判断結果を用紙切れでないとするとともに、ロール紙２０の交換完了を主制御部２に通知する。主制御部２は、この通知を以って、上記ｓ１４におけるロール紙２０の交換完了を判断すればよい。また、電源オン時は、主制御部２が、明細票発行ユニット５に対して、ロール紙２０が用紙切れであるかどうかを確認する構成とすればよい。
【図面の簡単な説明】
【００４２】
【図１】この発明の実施形態である印字ユニットを適用したＡＴＭの主要部の構成を示す図である。
【図２】明細票発行ユニットの主要部の構成を示す図である。
【図３】明細票発行ユニットにおけるロール紙の搬送経路を示す概略図である。
【図４】ＡＴＭの動作を示すフローチャートである。
【図５】明細票発行処理を示すフローチャートである。
【図６】残量確認処理を示すフローチャートである。
【図７】残量確認処理にかかる動作を説明する図である。
【符号の説明】
【００４３】
１−ＡＴＭ
２−主制御部
３−カード処理ユニット
４−通帳処理ユニット
５−明細票発行ユニット
６−入出金処理ユニット
７−操作ユニット
８−通信ユニット
１１−制御部
１１ａ−メモリ
１２−印字部
１２ａ−印字ヘッド
１３−搬送部
１４−検知部
１５−カット部
１５ａ−カッタ
１６−Ｉ／Ｆ部
２０−ロール紙
２１−排出口
３１−厚み検知センサ
３２−用紙検知センサ
３３−排出検知センサ
３４−抜取検知センサ
【図１】
2008093975.tif 000003
【図２】
2008093975.tif 000004
【図３】
2008093975.tif 000005
【図４】
2008093975.tif 000006
【図５】
2008093975.tif 000007
【図６】
2008093975.tif 000008
【図７】
2008093975.tif 000009